(57)【要約】【課題】ＩＣチップ付き冊子を構成するＩＣインレイが省資源で、製造工程の簡素化が可能で、かつＩＣエンコードの安定性に優れ、冊子への印刷に際しプリンターでの搬送によるチップへのダメージがなく、不正読み取り防止策を備えたＩＣチップ付き冊子。【解決手段】基材シート１０上にアンテナ２２と、該アンテナを用いて外部機器と非接触で通信を行うＩＣチップ２１とを備えたＩＣインレイ２０が設けられたＩＣチップ付き冊子１で、基材シート１０は紙又は紙様の合成紙等でなり、基材シート１０上にＩＣチップ２１が接着剤で貼付されてＩＣインレイ２０を成し、該ＩＣインレイ２０が表表紙１３か裏表紙の内面又は冊子内の頁の略中央に接着剤で貼付され、裏表紙１２内には金属箔が施されているＩＣチップ付き冊子１である。【選択図】図２
2008087396.tif 000002
【特許請求の範囲】
【請求項１】
基材シート上にアンテナと、該アンテナを用いて外部機器と非接触で通信を行うＩＣチップとを備えたＩＣインレイが設けられたＩＣチップ付き冊子であって、
前記基材シートは紙または紙様のプラスチックシートでなり、該基材シート上に前記ＩＣチップが接着剤を介して貼付されてＩＣインレイを成し、該ＩＣチップが貼付された基材シートの面もしくはその反対面が表表紙か裏表紙のいずれかの内面にまたは本文用紙の頁に接着剤で貼付されていることを特徴とするＩＣチップ付き冊子。
【請求項２】
前記貼付は、前記ＩＣインレイを構成するアンテナの中心と、該ＩＣインレイが貼付されている表表紙、裏表紙または本文用紙の頁の中心とが略一致する位置に成されていることを特徴とする請求項１記載のＩＣチップ付き冊子。
【請求項３】
前記ＩＣインレイの基材シートを貼付する接着剤は、防水性、耐薬品性、耐アルコール性を有していることを特徴とする請求項１又は２のいずれかに記載のＩＣチップ付き冊子。
【請求項４】
前記ＩＣインレイが貼付される表表紙、裏表紙または本文用紙の頁に予め防水性、耐薬品性、耐アルコール性の塗工が成されていることを特徴とする請求項１乃至３のいずれかに記載のＩＣチップ付き冊子。
【請求項５】
前記ＩＣインレイのアンテナとＩＣチップの持つ投影面積とほぼ同等かそれ以上の大きさの金属箔が、前記ＩＣインレイが表表紙に貼付されている場合には裏表紙に、前記ＩＣインレイが裏表紙に貼付されている場合には表表紙に、また、前記ＩＣインレイが本文用紙のいずれかの頁に貼付されている場合には表表紙か裏表紙のいずれかに、それぞれ設けてあって、
且つ、冊子を閉じた状態では前記金属箔が前記アンテナ及びＩＣチップとほぼ重なることを特徴とする請求項１乃至４のいずれかに記載のＩＣチップ付き冊子。
【発明の詳細な説明】
【技術分野】
【０００１】
本発明は、基材シート上にアンテナと、該アンテナを用いて外部機器と非接触で通信を行うＩＣチップとを備えたＩＣインレイが設けられたＩＣチップ付き冊子に関するものであり、特に、省資源で製造の簡素化とＩＣ通信の安定が図られ、かつデータの不正読み取りを防止するＩＣチップ付き冊子に関する。
【背景技術】
【０００２】
近年、非接触ＩＣカードや非接触ＩＣタグを用いたシステムが普及していて、その中に内蔵されるＩＣチップの薄型化が可能となり、例えば、冊子状のパスポートや預貯金通帳等の冊子に非接触ＩＣモジュール（固有の識別情報を格納したＩＣチップと、この識別情報を送受信するアンテナとで構成されているもの）を外装基材で挟み込んでＩＣインレイを構成し、このＩＣインレイを表紙や本文用紙などに貼り合わせ等によって装填できるようになり、各種電子データの記入や印字が可能な非接触ＩＣ付冊子が開発され公知となっている。
【０００３】
その非接触ＩＣ付冊子の従来の一事例として、例えば、図９の側断面図に示すように、接着剤（７０）を介して重合され貼り合わされた２枚の基材シート（５０ａ、５０ｂ）の間にアンテナ（４０）とＩＣチップ（６０）とでなる非接触ＩＣモジュールを内蔵してＩＣインレイ（８０）を形成し、例えば、図１０の斜視図に示すように、前記のＩＣインレイ（８０）を冊子の表表紙（１１０ｂ）または裏表紙（１１０ａ）の内側表面の角部付近領域に貼付されて非接触ＩＣ付冊子（１１０）としたものがある（例えば、特許文献１参照。）。
【０００４】
以下に、上記先行技術文献を示す。
【特許文献１】特開２０００−１５３６８１号公報
【発明の開示】
【発明が解決しようとする課題】
【０００５】
しかしながら、上記の従来の非接触ＩＣ付冊子の技術においては、上記非接触ＩＣ付冊子のように、そのＩＣインレイ（８０）は、２枚の基材シート（５０ａ、５０ｂ）で非接触ＩＣモジュールを挟み、接着剤（７０）を介して重合され貼り合わされている構造となっており、そのため省資源（材料の多さ）の面に欠け、かつ製造工程が多くなるという欠点があった。また、このＩＣインレイ（８０）の貼付位置が表表紙（１１０ｂ）または裏表紙（１１０ａ）の内側表面の角部付近領域としているが、このように角部付近領域に貼付されているものでは、製造側に於いてＩＣエンコードを行う際に安定性に欠けるという問題点があり、さらにまた、この冊子への印刷（プリント）に際し、冊子の端部（角部付近領域）にあるＩＣインレイ（８０）が、プリンターのガイドローラや搬送ローラの押し圧により破壊される等の危惧があり、その破壊のため、ＩＣ通信が不具合となるなどの問題点があった。
【０００６】
さらに、今後のＩＣ付パスポートの如きＩＣチップ付き冊子の普及に伴い、その不正読み取り（スキミング）防止策が不可欠となることに鑑み、それらに対する対策が必要になってきている。
【０００７】
本発明は、かかる従来技術の問題点などを解決するものであり、その課題とするところは、基材シート上にアンテナと、該アンテナを用いて外部機器と非接触で通信を行うＩＣ
チップとを備えたＩＣインレイが設けられたＩＣチップ付き冊子において、そのＩＣインレイが省資源で、その冊子への内蔵とともに製造工程の簡素化が可能で、かつ、ＩＣエンコードの安定性に優れ、冊子への印刷の際のプリンターでの搬送とＩＣチップへのダメージがなく、さらに不正読み取り（スキミング）防止策を備えたＩＣチップ付き冊子を提供することにある。
【課題を解決するための手段】
【０００８】
本発明に於いて上記課題を達成するために、まず請求項１の発明では、基材シート上にアンテナと、該アンテナを用いて外部機器と非接触で通信を行うＩＣチップとを備えたＩＣインレイが設けられたＩＣチップ付き冊子であって、
前記基材シートは紙または紙様のプラスチックシートでなり、該基材シート上に前記ＩＣチップが接着剤を介して貼付されてＩＣインレイを成し、該ＩＣチップが貼付された基材シートの面もしくはその反対面が表表紙か裏表紙のいずれかの内面にまたは本文用紙の頁に接着剤で貼付されていることを特徴とするＩＣチップ付き冊子としたものである。
【０００９】
また、請求項２の発明では、前記貼付は、前記ＩＣインレイを構成するアンテナの中心と、該ＩＣインレイが貼付されている表表紙、裏表紙または本文用紙の頁の中心とが略一致する位置に成されていることを特徴とする請求項１記載のＩＣチップ付き冊子としたものである。
【００１０】
また、請求項３の発明では、前記ＩＣインレイの基材シートを貼付する接着剤は、防水性、耐薬品性、耐アルコール性を有していることを特徴とする請求項１又は２のいずれかに記載のＩＣチップ付き冊子としたものである。
【００１１】
また、請求項４の発明では、前記ＩＣインレイが貼付される表表紙、裏表紙または本文用紙の頁に予め防水性、耐薬品性、耐アルコール性の塗工が成されていることを特徴とする請求項１乃至３のいずれかに記載のＩＣチップ付き冊子としたものである。
【００１２】
さらにまた、請求項４の発明では、前記ＩＣインレイのアンテナとＩＣチップの持つ投影面積とほぼ同等かそれ以上の大きさの金属箔が、前記ＩＣインレイが表表紙に貼付されている場合には裏表紙に、前記ＩＣインレイが裏表紙に貼付されている場合には表表紙に、また、前記ＩＣインレイが本文用紙のいずれかの頁に貼付されている場合には表表紙か裏表紙のいずれかに、それぞれ設けてあって、
且つ、冊子を閉じた状態では、前記金属箔が前記アンテナ及びＩＣチップとほぼ重なることを特徴とする請求項１乃至４のいずれかに記載のＩＣチップ付き冊子としたものである。
【発明の効果】
【００１３】
本発明は以上の構成であるから、下記に示す如き効果がある。
【００１４】
即ち、上記請求項１に係る発明によれば、基材シート上にアンテナと、該アンテナを用いて外部機器と非接触で通信を行うＩＣチップとを備えたＩＣインレイが設けられたＩＣチップ付き冊子であって、
前記基材シートは紙または紙様のプラスチックシートでなるので、冊子に内蔵しても特に違和感がなく、また、このＩＣインレイは、この１枚の基材シート上にＩＣチップが接着剤で貼付されているという、従来の２枚の基材シートに接着剤を介して挟まれているものに比し、材料などの省資源に寄与し、製造工程の簡素化が可能となる。
【００１５】
さらには、このＩＣインレイの基材シートの面もしくはその反対面が表表紙か裏表紙のいずれかの内面にまたは本文用紙の頁に接着剤で貼付されているというように、従来のＩ
Ｃ付冊子の製造に比べ、その製造工程の簡素化を可能にするＩＣチップ付き冊子とすることができる。
【００１６】
また、上記請求項２に係る発明によれば、前記ＩＣインレイの表表紙か裏表紙のいずれかの内面にまたは本文用紙の頁に接着剤による貼付は、前記ＩＣインレイを構成するアンテナの中心と、該ＩＣインレイが貼付されている表表紙、裏表紙または本文用紙の頁の中心とが略一致するような位置に成されていることによって、従来のようにＩＣインレイが表表紙等の端縁の角部付近領域に設けられているものに比べ、製造側におけるＩＣエンコードに際し、エンコードの安定化が図られるようになる。
【００１７】
かつまた、冊子への印刷に際し、プリンターでの搬送ローラやガイドローラによるＩＣチップへのダメージ（破損等）がなくなり、さらにプリンターでの搬送不良になるといったことに加え、ＩＣ通信不良となるといった問題点のないＩＣチップ付き冊子とすることができる。
【００１８】
また、上記請求項３に係る発明によれば、前記ＩＣインレイの基材シートを貼付する接着剤が、防水性、耐薬品性、耐アルコール性を有していることによって、持ち歩きや保管上等の事故などによるＩＣチップの破損などの防止を可能にするＩＣチップ付き冊子とすることができる。
【００１９】
また、上記請求項４に係る発明によれば、前記ＩＣインレイが貼付される表表紙、裏表紙または本文用紙の頁に予め防水性、耐薬品性、耐アルコール性の塗工が成されていることによって、上記請求項３に係る発明の接着剤による効果に加え、持ち歩きや保管上の事故などによるＩＣチップの破損などの防止を更に可能にするＩＣチップ付き冊子とすることができる。
【００２０】
さらにまた、上記請求項５に係る発明によれば、前記ＩＣインレイのアンテナとＩＣチップの持つ投影面積とほぼ同等かそれ以上の大きさの金属箔が、前記ＩＣインレイが表表紙に貼付されている場合には裏表紙に、前記ＩＣインレイが裏表紙に貼付されている場合には表表紙に、また、前記ＩＣインレイが本文用紙のいずれかの頁に貼付されている場合には表表紙か裏表紙のいずれかに、それぞれ設けてあって、
且つ、冊子を閉じた状態では、前記金属箔が前記アンテナ及びＩＣチップとほぼ重なるようにすることによって、表表紙か裏表紙のいずれかからでも読み取り（スキミング）が不可能になる不正読み取り（スキミング）防止策を備えたＩＣチップ付き冊子を提供することができる。
【発明を実施するための最良の形態】
【００２１】
以下本発明を実施するための最良の形態を図面を用いて詳細に説明する。
【００２２】
図１は、本発明のＩＣチップ付き冊子を構成するＩＣインレイの一事例の説明図であり、図２は、そのＩＣインレイが内蔵されたＩＣチップ付き冊子の一事例を説明する斜視図である。また、図３、図４は、本発明のＩＣチップ付き冊子でそれに内蔵されたＩＣインレイの状態を説明する断面図であり、図５、図６、図８は、本発明のＩＣチップ付き冊子の一事例を側断面で表した説明図であり、図７は、それらＩＣチップ付き冊子を閉じた時の状態を説明する断面図である。
【００２３】
本発明は、例えば、上記説明の図２に示す斜視図のように、基材シート（１０）上にコイル状のアンテナ（２２）と、そのアンテナ（２２）を用いて外部機器（図示せず）と非接触で通信を行うＩＣチップ（２１）とを備えたＩＣインレイ（２０）が、表表紙（１３）（図面では表表紙）か裏表紙（１２）の内面又は本文用紙（１４）の表面に設けられたＩＣチップ付き冊子（１）に関するものであり、特に、省資源で製造の簡素化とＩＣ通信の安定が図られ、かつデータの不正読み取りを防止するＩＣチップ付き冊子（１）の提供に関するものである。
【００２４】
まず、上記請求項に係る発明では、例えば、上記図１（ａ）の正面図およびそのＢ−Ｂ面を表す図１（ｂ）の側断面図に示すように、基材シート（１０）上にコイル状のアンテナ（２２）と、このアンテナ（２２）を用いて外部機器と非接触で通信を行うＩＣチップ（２１）とを備えたＩＣインレイ（２０）で、それを構成する基材シート（１０）としては、紙または紙様のプラスチックシート（通称合成紙）でなり、このように、コイル状のアンテナ（２２）が既に形成されている１枚の基材シート（１０）上にＩＣチップ（２１）が接着剤（２４ａ）で貼付されてＩＣインレイ（２０）を形成していることを特徴とするものである。
【００２５】
このように、基材シート（１０）が、紙または紙様のプラスチックシート（合成紙）でなるので、パスポート等冊子に内蔵しても冊子としての違和感がなく、さらに、このアンテナ（２２）が施されている１枚の基材シート（１０）上にＩＣチップ（２１）が接着剤（２４ａ）で貼付されてＩＣインレイ（２０）とするものであり、例えば、図６に示す従来のＩＣインレイ（８０）に比べ、材料等に係る省資源に寄与しかつその製造工程が簡素化されているものとすることができる。
【００２６】
さらに上記請求項に係る発明では、例えば、図２の斜視図および上記図３の側断面図に示すように、ＩＣインレイ（２０）を構成するＩＣチップ（２１）が貼付された基材シート（１０）の面が表表紙（１３）の内面に接着剤（２４）で貼付されていることを特徴とするＩＣチップ付き冊子（１）とするものである。
【００２７】
また、例えば、図３に示すように、表表紙（１３）の内面に接着剤（２４）で貼付されたＩＣインレイ（２０）を覆うように裏貼り紙（１８）が設けられているものとすることができ、この裏貼り紙（１８）の表面に各種の印刷が施されている形態のものが一般的である。
【００２８】
また、上記請求項に係る発明では、例えば、図２の斜視図および上記図４の側断面図に示すように、ＩＣインレイ（２０）を構成するＩＣチップ（２１）が貼付されている基材シート（１０）の面と反対面が表表紙（１３）の内面に接着剤（２４）で貼付されていることを特徴とするＩＣチップ付き冊子（１）とすることもできる。
【００２９】
また、例えば、図４に示すように、表表紙（１３）の内面に接着剤（２４）で貼付されたＩＣインレイ（２０）を覆うように裏貼り紙（１８）が設けられているものとすることもでき、この裏貼り紙（１８）の表面に種々の印刷が施されている形態とするのが一般的である。
【００３０】
例えば、図３に示すように、上記基材シート（１０）の面もしくはその反対面が接着剤（２４）で貼付される表表紙（１３）に代え、図２に示す裏表紙（１２）の内面あるいは冊子の本文用紙（１４）の頁表面とすることもできる。
【００３１】
このように、ＩＣインレイ（２０）が表表紙（１３）か裏表紙（１２）のいずれかの内面に、または冊子内の本文用紙（１４）の頁表面に接着剤（２４）によって貼付されるといったようにその製造工程の簡素化を可能にするＩＣチップ付き冊子（１）とすることができる。
【００３２】
また、上記請求項に係る他の発明では、例えば、図２の斜視図および図３の側断面図に
示すように、一枚の基材シート（１０）でなるＩＣインレイ（２０）が表表紙（１３）の内面に接着剤（２４）で貼付されている位置は、このＩＣインレイ（２０）を構成するコイル状のアンテナ（２２）の中心と、このＩＣインレイ（２０）が貼付されている表表紙（１３）の中心とが略一致していること、すなわち表表紙（１３）のほぼ中心にＩＣインレイ（２０）を構成するコイル状のアンテナ（２２）の中心がくるように貼付されていることを特徴とするＩＣチップ付き冊子（１）としたものである。
【００３３】
このように、表表紙（１３）のほぼ中心にＩＣインレイ（２０）のコイル状のアンテナ（２２）の中心がくるように貼付されていることによって、従来のように表表紙等の端縁角部に設けられているものに比べ、製造側でのＩＣエンコードに際し、エンコード機器の搬送ローラなどの動作が安定するようになるので、そのエンコードの安定化が図られ、かつ冊子への印刷に際し、プリンターでの搬送ローラやガイドローラによるＩＣチップ（２１）へのダメージ（破損等）がなくなり、プリンターでの搬送不良となるといった問題点に加え、ＩＣ通信不良となるといった問題点のないＩＣチップ付き冊子とすることができる。
【００３４】
また、上記請求項に係る他の発明では、例えば、図３の側断面図に示すように、ＩＣインレイ（２０）を構成する基材シート（１０）の面もしくは、図４の側断面図に示すように、その反対面を貼付する接着剤（２４）が、防水性、耐薬品性、耐アルコール性を有していることを特徴とするＩＣチップ付き冊子（１）とするものである。
【００３５】
このように、ＩＣインレイ（２０）を構成する基材シート（１０）を貼付する接着剤（２４）を、防水性、耐薬品性、耐アルコール性を有するものとすることによって、例えば、ＩＣチップ付き冊子（１）の持ち歩きや保管上等の事故やその管理などによるＩＣチップ（２１）の破損などを防止することができる。
【００３６】
さらにまた、上記請求項に係る他の発明では、例えば、図２および図３に示すように、ＩＣインレイ（２０）を構成する基材シート（１０）の面、もしくは図４に示すように、その反対面が貼付される表表紙（１３）の内面に、予め防水性、耐薬品性、耐アルコール性の塗工が成されている（図示せず）ことを特徴とするＩＣチップ付き冊子（１）とするものである。
【００３７】
特に図示しないが、予め防水性、耐薬品性、耐アルコール性の塗工が成される面を、ＩＣインレイ（２０）が貼付される裏表紙（１２）の内面あるいは本文用紙（１４）の表面とすることもできる。
【００３８】
このように、ＩＣインレイ（２０）が貼付される表表紙（１３）か裏表紙の内面に、または冊子内面の本文用紙（１４）の表面に、予め防水性、耐薬品性、耐アルコール性の塗工が成されることによって、前述の防水性、耐薬品性、耐アルコール性を有する接着剤（２４）による効果に加え、ＩＣチップ付き冊子（１）の持ち歩きや保管上等の事故やその管理などによるＩＣチップの破損などの防止を更に可能にするＩＣチップ付き冊子（１）とすることができる。
【００３９】
さらにまた、上記請求項に係る他の発明では、例えば、図５の側断面概略図に示すように、ＩＣインレイ（２０）が表表紙（１３）に貼付されている場合には、ＩＣインレイ（２０）のアンテナ（２２）とＩＣチップ（２１）の持つ投影面積とほぼ同等かそれ以上の大きさの金属箔（２７）が裏表紙（１２）に設けてあって、且つ、図７の側断面概略図に示すように、冊子を閉じた状態では、前記の金属箔（２７）がアンテナ（２２）及びＩＣチップ（２１）とほぼ重なるようにすることを特徴とするＩＣチップ付き冊子（１）とするものである。
【００４０】
また、上記請求項に係る他の発明では、例えば、図６の側断面概略図に示すように、ＩＣインレイ（２０）が裏表紙（１２）に貼付されている場合には、ＩＣインレイ（２０）のアンテナ（２２）とＩＣチップ（２１）の持つ投影面積とほぼ同等かそれ以上の大きさの金属箔（２７）が表表紙（１３）に設けてあって、且つ、特に図示しないが、この冊子を閉じた状態では、前記の金属箔（２７）がＩＣインレイ（２０）を構成するアンテナ（２２）及びＩＣチップ（２１）とほぼ重なるようにすることを特徴とするＩＣチップ付き冊子（１）とするものである。
【００４１】
あるいは、例えば、図８の側断面概略図に示すように、コイル状のアンテナ（２２）とＩＣチップ（２１）とでなるＩＣインレイ（２０）が冊子内の本文用紙（１４）のいずれかの頁表面に貼付されている場合には、金属箔（２７）を裏表紙（１２）の表面と裏貼り紙（１８）の間に挟むように設けてもよい。
【００４２】
あるいはまた、特に図示しないが、表表紙（１３）の内面に金属箔（２７）を裏貼り紙（１８）で挟んでもよく、且つ、冊子を閉じた状態では、その金属箔（２７）がＩＣインレイ（２０）を構成するアンテナ（２２）及びＩＣチップ（２１）とほぼ重なるようにすることもできる。
【００４３】
このように、例えば、図７に示すような冊子を閉じた状態では、裏表紙（１２）に挟まれるようにもうけられた金属箔（２７）が表表紙（１３）に設けられているアンテナ（２２）及びＩＣチップ（２１）とほぼ重なるようにすることによって、この金属箔（２７）が読み取りの妨害となり、表表紙（１３）側か裏表紙（１２）側のいずれかからでも読み取りが不可能になる、いわゆる不正読み取り（スキミング）防止策を備えたＩＣチップ付き冊子（１）とすることができる。
【００４４】
以下に、上記本発明のＩＣチップ付き冊子に用いる材料やそれらの製造方法等について説明する。
【００４５】
まず、ＩＣインレイ（２０）を構成する基材シート（１０）としては、紙あるいは紙様のプラスチックシート（所謂合成紙）等が好適で、その紙としては、坪量５０〜１５０ｇ／ｍ2 程度の上質紙、中質紙、コート紙などが挙げられ、また、紙様のプラスチックシートとしては、例えば、上記紙と同程度の坪量（厚み）のテスリン（米国  ＰＰＧ社製）、ユポ（王子油化合成紙社製）、トヨパールＳＰ４２５５（東洋紡績社製）、Ｗ９００（ダイヤホイルヘキスト社製）などが挙げられる。
【００４６】
この基材シート（１０）上に形成するアンテナ（２２）としては、上記のような紙あるいは紙様のプラスチックシートでなる基材シート（１０）上にラミネートされている銅やアルミニウム等の金属箔を所望のパターンにエッチングして得ることができ、または紙あるいは紙様のプラスチックシートからなる基材シート（３０）上に導電性ペーストによるスクリーン印刷で得ることもできる。
【００４７】
このアンテナ（２２）とＩＣチップ（２１）とを接続するに際し、例えば、図１（ａ）に示すように、コイル状のアンテナ（２２）の内側にＩＣチップ（２１）を配設する場合、外側のアンテナの端子から内側のアンテナの端子に配線を引き込むためのジャンパー線（２２ａ）が設けられる。このジャンパー線（２２ａ）としては、基材シート（１０）の裏側に回してＩＣチップ（２１）と接続してもよく、あるいは基材シート（１０）のＩＣチップ（２１）側に導電性のないレジストでブリッジ（橋架け）して接続することもできる。また、このアンテナ（１０）の平面形状は、図１（ａ）に示すようなコイル状でループ型であってもよく、あるいはダイポール型（図示せず）であってもよい。
【００４８】
また、上記基材シート（１０）上にＩＣチップ（２１）を貼付する接着剤（２４ａ）としては、特に、限定するものでなく、溶剤型、水性型（エマルジョンタイプ）あるいは熱溶融型（ホットメルトタイプ）であってもよく、さらには感圧型（粘着型）であっても構わない。
【００４９】
また、上記ＩＣインレイ（２０）を冊子の表表紙（１３）か裏表紙（１２）の内面または本文用紙（１４）の表面へ貼付するための、防水性、耐薬品性、耐アルコール性を有する接着剤（２４）としては、特に限定するものではないが、例えば、熱可塑性樹脂で塩ビ系や酢ビ系あるいはこれらの共重合物が好ましく、その中でも冊子の紙系への接着剤として、酢酸ビニルの重合物およびその共重合物が接着性を含めより好適であり、それら樹脂をアセトン等の溶剤に溶解する溶液タイプと、水を主体とする溶液に分散するエマルジョンタイプとがある。
【００５０】
それら接着剤（２４）の使用法は、上記溶液またはエマルジョンを所望の個所に塗布して貼り合わせ、接着剤の媒体を蒸発させるウェットボンディングと、塗布してから媒体を加熱蒸発させて熱いうちに貼り合わせるドライボンディングとがあり、製造の状態等に応じ適宜選定して使用することができる。
【００５１】
さらにまた、ＩＣインレイ（２０）を構成する基材シート（１０）の面が貼付される表表紙（１３）の内面に予め塗工する防水性、耐薬品性、耐アルコール性を有する塗工剤として、例えば、エチレン−酢酸ビニル共重合体（ＥＶＡ）にワックス類をブレンドしたものを塗布することが紙類に対する塗工性を含め最も好適な塗布剤である。また、これら剤の塗工に代え、例えば、ポリエチレンをＴ−ダイ方式で冊子の表表紙（１３）の内面等にラミネートすることもできる。
【００５２】
以上のような材料等を用い、本発明のＩＣチップ付き冊子の製造方法について、その一事例を以下に述べる。
【００５３】
まず、例えば、図１（ａ）および図１（ｂ）に示すように、表面に銅箔がラミネートされている坪量１０４．７ｇ／ｍ2 の上質紙を基材シート（１０）とし、その銅箔面をエッチングによってコイル状のアンテナ（２２）を多面付で形成し、このアンテナ（２２）の両側端子に裏面側に回したジャンパー線（２２ａ）を介して接続するように上質紙の表面にＩＣチップ（２１）を配設し、エチレン−酢酸ビニル共重合体（ＥＶＡ）でなる接着剤（２４ａ）で固定し、多面付けに従って所定のサイズに断裁してＩＣインレイ（２０）を作製する。
【００５４】
一方で、例えば、図５に示すように、冊子の裏表紙（１２）の内面にスキミングを防止する厚み２０μｍのアルミニウム箔（２７）を配設し、そのアルミニウム箔（２７）を覆うように坪量６４ｇ／ｍ2 の上質紙を裏貼り紙（１８）として貼り合わせる。
【００５５】
また、例えば、図３に示すように、既に内面にエチレン−酢酸ビニル共重合体（ＥＶＡ）とエチレンワックスとの混合物が塗布されている冊子の表表紙（１３）の内面に、上記で得られたＩＣインレイ（２０）の裏面を防水性などを有する酢酸ビニル系の接着剤（２４）で貼付し、そのＩＣインレイ（２０）を覆うように坪量６４ｇ／ｍ2 の上質紙を裏貼り紙（１８）として貼り合わせることによって、例えば、図５に示すように、ＩＣチップ付き冊子（１）を得ることができる。
【００５６】
以上のようにして得られたＩＣチップ付き冊子は、省資源に寄与し、製造工程の簡素化とＩＣ通信の安定化が図られ、かつデータの不正読み取り等を防止する効果を奏するもの
である。
【図面の簡単な説明】
【００５７】
【図１】本発明のＩＣチップ付き冊子に内蔵されるＩＣインレイの一事例を説明するもので、（ａ）は、その平面図であり、（ｂ）は、（ａ）のＢ−Ｂ面を示す断面図である。
【図２】本発明のＩＣチップ付き冊子の一事例を説明する斜視図である。
【図３】本発明のＩＣチップ付き冊子の一事例を説明するもので、それに内蔵するＩＣインレイの状態の一事例を示す側断面図である。
【図４】本発明のＩＣチップ付き冊子の一事例を説明するもので、それに内蔵するＩＣインレイの状態の他の事例を示す側断面図である。
【図５】本発明のＩＣチップ付き冊子の一事例を説明するもので、その冊子を開いた時の一事例を示す側断面図である。
【図６】本発明のＩＣチップ付き冊子の一事例を説明するもので、その冊子を開いた時の他の事例を示す側断面図である。
【図７】本発明のＩＣチップ付き冊子の一事例を説明するもので、その冊子を閉じた時の他の事例を示す側断面図である。
【図８】本発明のＩＣチップ付き冊子の一事例を説明するもので、その冊子を開いた時の他の事例を示す側断面図である。
【図９】従来の非接触ＩＣ付冊子を構成するＩＣインレイの一事例を説明する側断面模式図である。
【図１０】従来の非接触ＩＣ付冊子の一事例を説明する斜視図である。
【符号の説明】
【００５８】
１‥‥ＩＣチップ付き冊子
１０‥‥基材シート
１２‥‥裏表紙
１３‥‥表表紙
１４‥‥本文用紙
１８‥‥裏貼り紙
２４‥‥冊子にＩＣインレイを貼付する接着剤
２４ａ‥‥基材シート上にＩＣチップを貼付する接着剤
２７‥‥金属箔
５０ａ‥‥従来のＩＣインレイを構成する上側基材シート
５０ｂ‥‥従来のＩＣインレイを構成する下側基材シート
７０‥‥従来のＩＣインレイを構成する接着剤
８０‥‥従来の非接触ＩＣ付冊子を構成するＩＣインレイ
１１０ａ‥‥従来の非接触ＩＣ付冊子の裏表紙
１１０ｂ‥‥従来の非接触ＩＣ付冊子の表表紙
１１０ｃ‥‥従来の非接触ＩＣ付冊子の本文用紙
【図１】
2008087396.tif 000003
【図２】
2008087396.tif 000004
【図３】
2008087396.tif 000005
【図４】
2008087396.tif 000006
【図５】
2008087396.tif 000007
【図６】
2008087396.tif 000008
【図７】
2008087396.tif 000009
【図８】
2008087396.tif 000010
【図９】
2008087396.tif 000011
【図１０】
2008087396.tif 000012